(57)【要約】【課題】配線の作業性を向上させるとともに、冷却性にも優れた非常用発電装置を提供する。【解決手段】非常用発電装置１１は、ケーシング１２の内部に、商用電源の停電時にエンジンを始動させるとともに、該エンジンで駆動される発電機１５から負荷に送電を行うエンジン発電機１６を収納し、該エンジン発電機を支持する架台１３の底部に、電線３１を外部から引き込むための電線立上口を備え、架台の側面には、電線立上口から引き込まれた電線を取り扱い可能な開口２８ｃが設けられるとともに、該開口を覆うカバー３２が着脱可能に設けられ、前記カバーは、冷却用の空気を架台内に吸い込む吸気口３２ａと、該吸気口から吸い込んだ空気を架台内の上方に導くためのダクト３２ｂとを備えている。【選択図】図３
2020202621.tif 000002
【特許請求の範囲】
【請求項１】
ケーシングの内部に、商用電源の停電時にエンジンを始動させるとともに、該エンジンで駆動される発電機から負荷に送電を行うエンジン発電機を収納し、該エンジン発電機を支持する架台の底部に、電線を外部から引き込むための電線立上口を備え、使用場所で定位置に据え付けられる非常用発電装置において、
前記架台の側面には、前記電線立上口から引き込まれた電線を取り扱い可能な開口が設けられるとともに、該開口を覆うカバーが着脱可能に設けられ、
前記カバーは、冷却用の空気を前記架台内に吸い込む吸気口と、該吸気口から吸い込んだ空気を前記架台内の上方に導くためのダクトとを備えていることを特徴とする非常用発電装置。
【発明の詳細な説明】
【技術分野】
【０００１】
本発明は、非常用発電装置に関し、詳しくは、停電などの非常時にエンジン発電機を運転して負荷に電力を供給可能な非常用発電装置に関する。
【背景技術】
【０００２】
エンジン発電機を運転して負荷に送電を行う発電装置では、ビルや工場などの定位置に据え付ける際に、商用系統や電力負荷に対して配線がなされている（例えば、特許文献１参照。）。また、このような発電装置は、一般に、架台上に支持したエンジン発電機をケーシングの内部に収納して構成されている（例えば、特許文献２参照。）。
【先行技術文献】
【特許文献】
【０００３】
【特許文献１】特開２０１１−２０２５４３号公報
【特許文献２】特開２０１７−２２７１９３号公報
【発明の概要】
【発明が解決しようとする課題】
【０００４】
エンジン発電機における配線は、通常、架台の底部に備わる開口を通じて外部からケーシング内部につなぎ込まれるため、架台の構造は、作業性を考慮して形成されていることが望ましい。しかし、特許文献２に記載されたものでは、その構造上、架台の高さ寸法が比較的に大きいことから、電線を立ち上げる際に作業が効率よく行えず、また、日常の保守において配線状態の目視点検を容易に行えないといった課題があった。
【０００５】
そこで本発明は、配線の作業性を向上させるとともに、冷却性にも優れた非常用発電装置を提供することを目的としている。
【課題を解決するための手段】
【０００６】
上記目的を達成するため、本発明の非常用発電装置は、ケーシングの内部に、商用電源の停電時にエンジンを始動させるとともに、該エンジンで駆動される発電機から負荷に送電を行うエンジン発電機を収納し、該エンジン発電機を支持する架台の底部に、電線を外部から引き込むための電線立上口を備え、使用場所で定位置に据え付けられる非常用発電装置において、前記架台の側面には、前記電線立上口から引き込まれた電線を取り扱い可能な開口が設けられるとともに、該開口を覆うカバーが着脱可能に設けられ、前記カバーは、冷却用の空気を前記架台内に吸い込む吸気口と、該吸気口から吸い込んだ空気を前記架台内の上方に導くためのダクトとを備えていることを特徴としている。
【発明の効果】
【０００７】
本発明の非常用発電装置によれば、架台の側面に電線立上口から引き込まれた電線を取り扱い可能な開口が設けられているので、電線の立ち上げ空間において配線作業や日常の保守を容易に行うことができる。また、前記開口を覆うカバーには、冷却用の空気を架台内に吸い込む吸気口と、該吸気口から吸い込んだ空気を架台内の上方に導くためのダクトとを備えているので、エンジン発電機の冷却効率を向上させることができる。また、既存の吸気ダクトが開口の上部空間を占めるので、非常用発電装置の使用時に開口部に雨水がかかりにくくなり、装置内への雨水浸入を防止できる。
【図面の簡単な説明】
【０００８】
【図１】本発明の一形態例を示す非常用発電装置の正面図である。
【図２】同じく平面図である。
【図３】同じく側面図である。
【発明を実施するための形態】
【０００９】
図１乃至図３は、本発明の非常用発電装置の一形態例を示すもので、非常用発電装置１１は、平面視長方形状の架台１３上に防音構造を有する箱状のケーシング１２を設け、該ケーシング１２内に、商用電源の停電時にエンジン１４を始動させるとともに、該エンジン１４で駆動される発電機１５から負荷に送電を行うエンジン発電機１６と、エンジン１４を始動するための充電可能なバッテリ１７と、発電機１５を跨ぐスタンド１８の上部に設けられた制御装置１９とを備えており、使用場所で定位置に、例えば、ビルや工場などの屋上に据え付けられている。また、ケーシング１２の内部は、ラジエータ２０を備えた仕切壁１２ａが設けられ、該仕切壁１２ａによってエンジン室２１と排風室２２とに区画されている。
【００１０】
ラジエータ２０は、仕切壁１２ａの中央部に形成された通気用開口（図示せず）よりもエンジン室２１側に設けられ、上部に冷却水導入管２３が、下部に冷却水導出管２４がそれぞれ接続されている。また、排風室２２には、ラジエータ２０の両側部から突出する一対の取付腕２６ａ，２６ａを有したブラケット２６が設けられており、排気管２５ａが接続されたマフラ２５をブラケット２６で支持するように構成されている。エンジン１４が始動されると、回転するファン１４ａにより、基本的には、図１の矢印Ａ１，Ａ２，Ａ３の順で示すように、エンジン室２１側に設けた吸気口（図示せず）から燃焼用及び冷却用の空気を吸引し、冷却用の空気についてはラジエータ２０を介して排風室２２の下部に設けた排風口（図示せず）から排出するようになっている。
【００１１】
架台１３は、四隅部に吊り孔２７ａ及び固定用のボルト孔２７ｂを有して枠組みされた据付部材２７と、該据付部材２７上に結合され、エンジン発電機１６やスタンド１８などが設置される複数の横梁２８ａを備えた架台本体２８とで構成され、架台本体２８内の中央には燃料タンク２９が収納されている。また、架台本体２８の底部には、スタンド１８の一側方（図３において左側）に取り付けられた端子台３０に対して、電線３１を外部から引き込むための電線立上口２８ｂが設けられている（図２）。電線立上口２８ｂは、電線３１を引き込む際の作業性を阻害しない程度に、必要十分な大きさに形成されている。さらに、架台本体２８の側面であって、ケーシング１２の吸気側の面に対応する面には、幅広な矩形状の開口２８ｃが設けられており、該開口２８ｃを覆うカバー３２が複数のボルト３３を用いて着脱可能になっている。
【００１２】
カバー３２は、前記開口２８ｃの大きさに対応した矩形平板材からなり、装着方向に向かって右手側（図３において右側）の下部に吸気口３２ａが設けられている。また、カバー３２の内側（裏面）には、吸気口３２ａから吸い込んだ冷却用の空気を、架台１３の内部上方に導くとともに、空気に同伴された雨水を分離するためのダクト３２ｂが設けられている。ダクト３２ｂは、所定の奥行きを有して形成されたもので、カバー３２を着脱する際に、電線３１に対して接触しない位置に設けられている。こうして、架台１３において開口２８ｃを有する面は、カバー３２を外した状態では、電線３１が立ち上がる空間に対し、開口２８ｃを通じて作業者の手が届くようになっている。一方、カバー３２を装着した状態では、図１の矢印Ｂで示すように、吸気口３２ａから冷却用の空気を吸引し、ダクト３２ｂを通じてエンジン室２１内に、すなわち、発電機１５の筐体に設けた吸気口１５ａに空気を導くことが可能になっている。
【００１３】
このように、非常用発電装置１１が、架台１３の側面に電線立上口２８ｂから引き込まれた電線３１を取り扱い可能な開口２８ｃが設けられているので、電線３１の立ち上げ空間において配線作業や日常の保守を容易に行うことができる。また、開口２８ｃを覆うカバー３２には、冷却用の空気を架台１３内に吸い込む吸気口３２ａと、該吸気口３２ａから吸い込んだ空気を架台１３内の上方に導くためのダクト３２ｂとを備えているので、エンジン発電機１６の冷却効率を向上させることができる。また、既存の吸気ダクトが開口２８ｃの上部空間を占めるので、非常用発電装置１１の使用時に開口部に雨水がかかりにくくなり、装置内への雨水浸入を防止できる。
【００１４】
なお、本発明は、前記形態例に限定されるものでなく、架台側面に設けた開口は、配線の作業性を考慮して任意の大きさに形成できる。また、カバーについては、吸気口の位置や大きさなどは限定されず、電線立上口から立ち上がる電線に対して干渉することがない位置関係で、ダクトを幅方向に拡大するなど適宜に変更することができる。
【符号の説明】
【００１５】
１１…非常用発電装置、１２…ケーシング、１２ａ…仕切壁、１３…架台、１４…エンジン、１４ａ…ファン、１５…発電機、１５ａ…吸気口、１６…エンジン発電機、１７…バッテリ、１８…スタンド、１９…制御装置、２０…ラジエータ、２１…エンジン室、２２…排風室、２３…冷却水導入管、２４…冷却水導出管、２５…マフラ、２５ａ…排気管、２６…ブラケット、２６ａ…取付腕、２７…据付部材、２７ａ…吊り孔、２７ｂ…ボルト孔、２８…架台本体、２８ａ…横梁、２８ｂ…電線立上口、２８ｃ…開口、２９…燃料タンク、３０…端子台、３１…電線、３２…カバー、３２ａ…吸気口、３２ｂ…ダクト、３３…ボルト
【図１】
2020202621.tif 000003
【図２】
2020202621.tif 000004
【図３】
2020202621.tif 000005